【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
翼形部と根元との間の接合部にプラットフォームを有するタービンロータブレードの内部を通る冷却チャネル構造であって、前記ロータブレードは、前記翼形部内に形成された冷却チャネルと外寄り翼形部供給チャネルとを有する翼形部冷却チャネルを含み、前記外寄り翼形部供給チャネルが、前記根元を通って形成される第１の冷却媒体入口から前記翼形部冷却チャネルとの接続部まで延伸する冷却媒体供給チャネルを含み、
前記冷却チャネル構造が、
前記プラットフォームの少なくとも一部を横断する冷却チャネルを含み且つ上流側端部と下流側端部とを有するプラットフォーム冷却チャネルと、
前記根元内に形成された第２の冷却媒体入口から前記プラットフォーム冷却チャネルの上流側端部まで延伸する冷却チャネルを含む外寄りプラットフォーム供給チャネルと、
前記プラットフォーム冷却チャネルの下流側端部から前記根元内に形成された終端部まで延伸する冷却チャネルを含む内寄りプラットフォーム戻りチャネルと
を備え、
前記根元が、接続手段を含む内寄り部分と、前記接続手段と前記プラットフォームとの間に延在する外寄り部分とを含み、前記第１の冷却媒体入口、前記第２の冷却媒体入口、及び前記内寄りプラットフォーム戻りチャネルの終端部分が前記接続手段内に配置され、
前記外寄りプラットフォーム供給チャネル、前記プラットフォーム冷却チャネル、及び前記内寄りプラットフォーム戻りチャネルが、プラットフォーム冷却回路を含み、前記外寄りプラットフォーム供給チャネル及び前記翼形部冷却チャネルが、翼形部冷却回路を含み、さらに、前記接続手段の外寄りの半径方向位置にて前記翼形部冷却回路から前記プラットフォーム冷却回路を分離する分離構造体と、前記接続手段内に形成されコネクタとを備え、前記コネクタが、前記内寄りプラットフォーム戻りチャネルの終端部分を前記外寄り翼形部供給チャネルに接続するチャネルを含む、冷却チャネル構造。
【請求項２】
前記接続手段がダブテールを含み、前記コネクタが外側壁部により密閉されるチャネルを含み、前記外側壁部の第１の側部が前記コネクタの内側壁部を含み、前記外側壁部の第２の側部が前記ダブテールの外側表面を形成し、前記コネクタが前記ダブテールの内寄り縁部に近接して配置される、請求項１記載の冷却チャネル構造。
【請求項３】
前記コネクタの外側壁部がカバープレートを含み、該カバープレートが前記ダブテールに対して非一体型の構成要素を含む、請求項２記載の冷却チャネル構造。
【請求項４】
前記カバープレートが、そこを通って形成された第１の冷却媒体入口を含み、前記第１の冷却媒体入口が、所望の流量調整特性に基づいて構成される、請求項３記載の冷却チャネル構造。
【請求項５】
前記外寄り翼形部供給チャネルが、前記外寄り翼形部供給チャネルを２つのチャネル、すなわち、ａ）前記コネクタと流体連通した第１の外寄り翼形部供給チャネルと、ｂ）前記第１の入口と流体連通した第２外寄り翼形部供給チャネルと、に分離するデバイダを含み、前記デバイダを超えると前記第１の外寄り翼形部供給チャネルが前記第２外寄り翼形部供給チャネルと併合され、前記デバイダは、前記第１の外寄り翼形部供給チャネルが前記第２の外寄り翼形部供給チャネルとシャンク内の半径方向位置にて併合するように、半径方向で所定距離に延在する、請求項２記載の冷却チャネル構造。
【請求項６】
前記プラットフォーム冷却チャネルの上流側端部が前記プラットフォームのほぼ半径方向高さを含み、前記第２の冷却媒体入口が前記プラットフォーム冷却チャネルの上流側端部と整列し、前記外寄り翼形部供給チャネルが各々との接続部の間に半径方向に延在するようになり、前記プラットフォーム冷却チャネルの下流側端部が前記プラットフォームのほぼ半径方向高さを含み、前記前記プラットフォーム冷却チャネルの下流側端部が前記内寄りプラットフォーム戻りチャネルの終端点と整列し、前記内寄りプラットフォーム戻りチャネルが各々との間に半径方向に延在する、請求項２記載の冷却チャネル構造。
【請求項７】
翼形部と根元との間の接合部にプラットフォームを有するタービンロータブレードの内部を通る冷却チャネル構造であって、内側半径方向部分に沿って前記根元がロータホイールを係合するよう構成されたダブテールを含み、外側半径方向部分に沿って前記根元が前記ダブテールと前記プラットフォームとの間に延在するシャンクを含み、前記タービンロータブレードが前記翼形部内に形成された翼形部冷却チャネルを含み、該翼形部冷却チャネルが、前記ダブテールの内側半径方向表面を通って形成された第１の冷却媒体入口から前記翼形部冷却チャネルの上流側まで遠心する冷却チャネルを含む外寄り翼形部供給チャネルと、前記プラットフォームの内部の少なくとも一部を通って冷却媒体を配向するよう構成され且つ上流側端部及び下流側端部を有するプラットフォーム冷却チャネルとを含み、
前記冷却チャネル構造が、
前記ダブテールの内側半径方向表面を通って形成された第２の冷却媒体入口から前記プラットフォーム冷却チャネルの上流側端部まで延伸する冷却チャネルを含む外寄りプラットフォーム供給チャネルと、
前記プラットフォーム冷却チャネルの下流側端部から前記ダブテールの内側半径方向表面に近接して形成されたコネクタまで延伸する冷却チャネルを含む内寄りプラットフォーム戻りチャネルと、
を備え、前記コネクタが、前記外寄り翼形部供給チャネル及び前記内寄りプラットフォーム戻りチャネルを接続する、冷却チャネル構造。
【請求項８】
前記外寄りプラットフォーム供給チャネル、前記プラットフォーム冷却チャネル、及び前記内寄り供給チャネルが、プラットフォーム冷却回路を含み、前記外寄り翼形部供給チャネル及び前記翼形部冷却チャネルが翼形部冷却回路を含み、前記ダブテールの外寄りの半径方向位置にて前記翼形部冷却回路から前記プラットフォーム冷却回路を分離する分離構造体を更に備える、請求項７記載の冷却チャネル構造。
【請求項９】
前記内寄りプラットフォーム戻りチャネルが、そこを通って流れる冷却媒体を前記コネクタに配向するよう構成され、前記コネクタが、そこを通って流れる冷却媒体を前記外寄り翼形部供給チャネルに配向するよう構成される、請求項８記載の冷却チャネル構造。
【請求項１０】
前記コネクタが、前記ダブテールの内側半径方向表面の一部を形成する外側壁部により密閉されるチャネルを含む、請求項９記載の冷却チャネル構造。
【請求項１１】
前記コネクタの外側壁部がカバープレートを含み、該カバープレートが前記ダブテールに対して非一体型の構成要素を含む、請求項１０記載の冷却チャネル構造。
【請求項１２】
翼形部と根元との間の接合部にプラットフォームを有するタービンロータブレード内の冷却チャネル構造を製造する方法であって、内側半径方向部分に沿って前記根元がロータホイールを係合するよう構成されたダブテールを含み、外側半径方向部分に沿って前記根元が前記ダブテールと前記プラットフォームとの間に延在するシャンクを含み、
当該方法が、
外寄り翼形部供給チャネルと翼形部冷却チャネルとを含み、該外寄り翼形部供給チャネルが前記ダブテールの内側半径方向表面を通って形成された第１の冷却媒体入口から前記翼形部冷却チャネルの上流側まで遠心する冷却チャネルを有し、前記翼形部冷却チャネルが前記プラットフォームの少なくとも一部を通って冷却媒体を配向するよう構成されたチャネルを有する、翼形部冷却回路を形成するステップと、
前記外寄りプラットフォーム供給チャネル、前記プラットフォーム冷却チャネル、及び前記内寄りプラットフォーム戻りチャネルを含むプラットフォーム冷却回路を形成するステップであって、前記プラットフォーム冷却チャネルが、前記プラットフォームの少なくとも一部を通って冷却媒体を配向するよう構成されたチャネルであり、上流側端部及び下流側端部を有し、前記外寄りプラットフォーム供給チャネルが、前記ダブテールの内側半径方向表面を通って形成された第２の冷却媒体入口から前記プラットフォーム冷却チャネルの上流側端部まで延伸する冷却チャネルを含み、前記内寄りプラットフォーム戻りチャネルが、前記プラットフォーム冷却チャネルの下流側端部から前記ダブテールの内側半径方向表面を通って形成された開口まで延伸する冷却チャネルを含む、プラットフォーム冷却回路を形成するステップと、
前記ダブテールの内側半径方向表面に近接して、前記外寄り翼形部供給チャネル及び前記内寄りプラットフォーム戻りチャネルを接続するコネクタを形成するステップと
を含む、方法。